(57)【要約】【課題】送風路の下端開口部の位置を上下に調整可能な浴室暖房機において、設置作業性の向上を図ること。【解決手段】本体ケース１１と、本体ケース１１内に浴室４内の空気を導入する給気手段１４と、本体ケース１１内に導入される空気を浴室４へ導く送風路１３とを備え、送風路１３が、給気手段１４の配設部からケース開口部１１０へ向かって延設される本体筒部２０と、本体筒部２０のケース開口部１１０側の端部２０１に上下移動可能な状態で連設され、下方に開口する可動筒部２１とで構成され、可動筒部２１の一側面部２１Ｃに設けられ、可動筒部２１を上位置から下方へ移動可能に支持する案内部２２と、一側面部２１Ｃに対向する本体ケース１１の内部側壁１９Ｄに設けられ、案内部２２を上下摺動可能に係合保持する案内受け部３２とが、前後方向に弾性係合することによって、可動筒部２１の前後方向への移動が規制される構成としたこと。【選択図】図２
2019032144.tif 000002
【特許請求の範囲】
【請求項１】
浴室の天井裏に配設される下面開放箱状の本体ケースと、浴室内の空気を本体ケース内に導入する給気手段と、本体ケース内に導入される空気を浴室内へ導く送風路とを備えた浴室暖房機であって、
送風路は、給気手段の配設部から本体ケース下面のケース開口部へ向かって延設される本体筒部と、本体筒部のケース開口部側の端部に上下移動可能な状態で連設され、下方に開口する可動筒部とで構成され、
可動筒部の一側面部に設けられ、可動筒部を所定の上位置から下方へ移動可能に支持する案内部と、
前記一側面部に対向する本体ケースの内部側壁に設けられ、案内部を上下摺動可能に係合保持する案内受け部とを有し、
前記一側面部と内部側壁との対向方向を左右方向、左右方向および上下方向に直交する方向を前後方向としたとき、
案内部および案内受け部の少なくとも一方が他方に対して前後方向に弾性係合することで、可動筒部の前後方向への移動が規制される構成とした、浴室暖房機。
【請求項２】
請求項１に記載の浴室暖房機において、
案内部は、案内受け部に対して前後方向の相反する外向きに係合し、可動筒部を前記上位置で掛止させる一対の仮止め部を備えた、浴室暖房機。
【請求項３】
請求項１または２に記載の浴室暖房機において、
本体ケース内に、可動筒部の前記一側面部と反対側に面する他側面部に当接し、可動筒部の上下方向への移動を許容し且つ左右方向への移動を規制するガイド板が設けられた、浴室暖房機。
【発明の詳細な説明】
【技術分野】
【０００１】
本発明は、浴室暖房機、特に、浴室の天井に埋め込み状態で設置される浴室暖房機に関する。
【背景技術】
【０００２】
従来、浴室の天井に開設された器具取付口に埋め込み状態で設置される所謂天井埋設式の浴室暖房機において、循環ファンによって本体ケース内に取り込まれた空気を浴室内へ導出するための送風路が、循環ファンの配設部から延設される固定の本体筒部と、本体筒部の下端部に上下移動可能な状態で連設される可動筒部とで構成されており、天井裏に設置された本体ケースに浴室側から天井を挟んでカバーを取り付ける際に、可動筒部を本体ケース内の所定の上位置から引き下げることで、天井の厚みにかかわらず、可動筒部の下端開口部をカバーの吹出口部に連結可能としたものが知られている（例えば、特許文献１参照）。
【先行技術文献】
【特許文献】
【０００３】
【特許文献１】特開２０１６−１３８６９３号公報
【発明の概要】
【発明が解決しようとする課題】
【０００４】
しかしながら、上記従来の浴室暖房機では、可動筒部と本体筒部との間に所定のクリアランスが設けられているため、可動筒部を本体ケース内から引き下げる際に、可動筒部が前後左右にがたついて本体筒部に引っ掛かり、円滑に引き下げられない場合があった。
【０００５】
本発明は、上記課題を鑑みてなされたものであり、その目的は、送風路の下端開口部の位置を上下に調整可能な浴室暖房機において、設置作業性の向上を図ることにある。
【課題を解決するための手段】
【０００６】
本発明は、浴室の天井裏に配設される下面開放箱状の本体ケースと、浴室内の空気を本体ケース内に導入する給気手段と、本体ケース内に導入される空気を浴室内へ導く送風路とを備えた浴室暖房機であって、送風路は、給気手段の配設部から本体ケース下面のケース開口部へ向かって延設される本体筒部と、本体筒部のケース開口部側の端部に上下移動可能な状態で連設され、下方に開口する可動筒部とで構成され、可動筒部の一側面部に設けられ、可動筒部を所定の上位置から下方へ移動可能に支持する案内部と、前記一側面部に対向する本体ケースの内部側壁に設けられ、案内部を上下摺動可能に係合保持する案内受け部とを有し、前記一側面部と内部側壁との対向方向を左右方向、左右方向および上下方向に直交する方向を前後方向としたとき、案内部および案内受け部の少なくとも一方が他方に対して前後方向に弾性係合することで、可動筒部の前後方向への移動が規制されるものである。
【０００７】
このものでは、可動筒部の一側面部に設けられた案内部と本体ケースの内部側壁に設けられた案内受け部とが、一側面部と内部側壁との対向方向に対して直交する前後方向に弾性係合し、可動筒部の前後方向への移動が規制されるから、可動筒部の下端開口部をカバーの吹出口部に連結する際に、可動筒部を上位置から円滑に引き下げることができる。
【０００８】
好ましくは、上記浴室暖房機において、案内部は、案内受け部に対して前後方向の相反する外向きに係合し、可動筒部を前記上位置で掛止させる一対の仮止め部を備える。
【０００９】
既述従来の浴室暖房機のように、可動筒部の一つの側面部に、仮止め用の爪部が外側対向面部へ向かって突設されており、外側対向面部に設けられた係合部に上記爪部が係合することで、可動筒部が本体ケース内の所定の上位置にて係合保持されるように構成されたものでは、上記側面部と外側対向面部とのクリアランス方向（対向方向）へのがたつきによって、爪部と係合部との位置関係にずれが生じ、一定の係合強度が得られなかった。そのため、可動筒部を上位置から容易に引き下げられなかったり、不用意に上位置から外れてしまったりする場合があった。
【００１０】
しかしながら、本発明では、案内部に設けられた仮止め部が案内受け部に対して前後方向の相反する方向から係合し、可動筒部を上位置で掛止させるように構成されているから、可動筒部の前後方向へのがたつきにかかわらず、一定の位置関係で仮止め部を案内受け部に係合させることができる。即ち、仮止め部と案内受け部との位置関係にずれが生じ難く、一定の係合強度を確保することができる。よって、可動筒部を上位置から引き下げる際に、仮止め部の案内受け部からの外れやすさにばらつきがなく、常に一定の力で引き下げることができる。
【００１１】
好ましくは、上記浴室暖房機において、本体ケース内に、可動筒部の前記一側面部と反対側に面する他側面部に当接し、可動筒部の上下方向への移動を許容し且つ左右方向への移動を規制するガイド板が設けられる。
【００１２】
このものでは、案内部および案内受け部によって可動筒部の前後方向への移動が規制される一方、ガイド板によって可動筒部の左右方向への移動が規制されるから、可動筒部をより円滑に上下移動させることができる。
【発明の効果】
【００１３】
以上のように、本発明によれば、可動筒部を円滑に上下移動させることができるから、可動筒部の下端開口部をカバーの吹出口部に連結する際の手間を軽減できる。よって、設置作業性が向上する。
【図面の簡単な説明】
【００１４】
【図１】図１は、本発明の実施の形態に係る浴室暖房機の側方視概略縦断面図である。
【図２】図２は、本発明の実施の形態に係る浴室暖房機の前方視概略縦断面図である。
【図３】図３は、本発明の実施の形態に係る浴室暖房機の案内部周辺の斜視図である。
【図４】図４は、本発明の実施の形態に係る浴室暖房機のガイド板周辺の斜視図である。
【図５】図５は、本発明の実施の形態に係る浴室暖房機の案内部周辺の他の形態Ａを示す斜視図である。
【図６】図６は、本発明の実施の形態に係る浴室暖房機の案内部周辺の他の形態Ｂを示す斜視図である。
【図７】図７は、本発明の実施の形態に係る浴室暖房機の案内部周辺の他の形態Ｃを示す斜視図である。
【発明を実施するための形態】
【００１５】
次に、本発明を実施するための形態について、添付図面を参照しながら詳述する。
【００１６】
図１および図２に示すように、本発明の実施の形態に係る浴室暖房機１は、浴室４の天井４１に開設された器具取付口４１０に埋め込み状態で設置される所謂天井埋設式の浴室暖房機であって、下面が開放する略矩形箱状の本体ケース１１と、本体ケース１１の下面開口部（以下、「ケース開口部」という）１１０を下方から覆う下方視略長方形状のカバー１２とで外郭が構成されている。
【００１７】
カバー１２には、浴室４内の空気を本体ケース１１の内部（以下、「ケース内部」という）１０に導入するための複数のスリットからなる吸込口１２１と、ケース内部１０に導入された空気を浴室４に導出するための略矩形長孔状の吹出口１２２とが設けられている。吹出口１２２は、カバー１２の一方の長縁１２Ａ寄りの位置に延設されている。尚、本明細書では、本体ケース１１の上記長縁１２Ａ側、即ち、吹出口１２２側の側壁を前壁１１Ａ、上記長縁１２Ａと反対側に位置し、前壁１１Ａに対向する側壁を後壁１１Ｂ、前壁１１Ａおよび後壁１１Ｂの側縁部相互を繋ぐ二つの対向する側壁をそれぞれ左側壁１１Ｃおよび右側壁１１Ｄとして、前壁１１Ａおよび後壁１１Ｂ相互の対向方向を前後方向、左側壁１１Ｃおよび右側壁１１Ｄ相互の対向方向を左右方向、前後および左右方向それぞれに直交する方向を上下方向という。
【００１８】
本体ケース１１の下端外周縁の外周には、全周に亘って外向きにフランジ１１２が形成されており、本体ケース１１は、ケース開口部１１０を器具取付口４１０に上方（天井裏４０側）から臨ませ、フランジ１１２の上面を器具取付口４１０の周縁下部に当接させた状態で、図示しない複数の吊り下げボルトおよびナットによって天井裏４０に固定される。一方、カバー１２は、器具取付口４１０の全体を下方から覆うようにして本体ケース１１に浴室４側からねじ留め固定される。このように、浴室暖房機１は、先に天井裏４０に本体ケース１１を固定しておき、フランジ１１２とカバー１２とで天井４１を上下から挟むようにして設置される。
【００１９】
ケース内部１０には、浴室４内の空気をケース内部１０の送風路１３を通じて循環させる循環ファン１４と、送風路１３内に導入される空気を加熱する熱交換器１５とが組み込まれている。本体ケース１１の前壁１１Ａには、浴室４内の空気をケース内部１０に導入し、図示しない排気筒を通じて室外に排出する排気ファン１７が設けられている。このように、本実施の形態に係る浴室暖房機１は、排気ファン１７を備えた空気調和機であり、浴室４内の空気を熱交換器１５により加熱し循環させる暖房運転に加え、浴室４内の空気を排気ファン１７によって室外へ排出させつつ、循環ファン１４によって浴室４内に循環させる乾燥運転、浴室４内の空気を排気ファン１７によって室外へ排出させる換気運転等を実行可能に構成されている。
【００２０】
循環ファン１４は、左右に長い略円筒状のシロッコファンであり、送風路１３の左右の内側面相互間に回動自在に軸支されている。図示しないが、循環ファン１４の一方端の軸部には、循環ファン１４の駆動源となるファンモータが接続されている。
【００２１】
熱交換器１５は、図示しない熱源機から供給される湯等の熱媒の熱により周囲の空気を加熱する熱媒循環式の熱交換器であって、左右方向に対向して複数縦並びで配設される吸熱フィン１５１と、吸熱フィン１５１に左右方向から貫挿される複数の吸熱管１５２とで構成され、送風路１３における循環ファン１４より下流側（吸込口１２１側）の位置に設けられている。
【００２２】
送風路１３は、循環ファン１４の配設部からケース開口部１１０の前寄りの位置へ向かって斜め前方下向きに延設される本体筒部２０と、本体筒部２０のケース開口部１１０側の端部（以下、「下流端部」という）２０１から下方へ向かって延設される可動筒部２１とで構成されている。本体筒部２０および可動筒部２１は何れも、左右方向に広幅の略矩形筒状に形成されている。可動筒部２１の下端側の開口部（以下、「下端開口部」という）１３０が送風路１３の下流端となり、カバー１２の吹出口１２２の周縁部に上方から連結される。
【００２３】
本体筒部２０は、本体ケース１１と一体的に構成されており、ケース内部１０の前後間の略中央位置からケース開口部１１０と略一致する位置まで延出形成されている。熱交換器１５は、本体筒部２０の上流側の空間にて循環ファン１４を下方および後方から覆うように配設されている。
【００２４】
可動筒部２１は、ケース内部１０に収容された所定の上位置（仮止め位置）と、ケース開口部１１０より下方へ突出した所定の下位置との間で上下に摺動可能な状態で本体筒部２０の下流端部２０１の外周に環装されている。図示しないが、下端開口部１３０の周縁部には、可動筒部２１を吹出口１２２の周縁部にねじ留め固定するためのねじ孔が設けられており、本体ケース１１にカバー１２をねじ留め固定した後、上記ねじ孔にカバー１２の下面側からねじを螺入接続することによって、下端開口部１３０が吹出口１２２の周縁部に当接し連結される。これにより、器具取付口４１０の周縁の厚みが異なっても、可動筒部２１の下端開口部１３０と吹出口１２２の周縁部との間に不要な隙間が形成されず、空気漏れが生じ難い。
【００２５】
可動筒部２１の内側には、運転時に空気の吹出方向を変更し、停止時に下端開口部１３０を被閉可能なルーバ１８が設けられている。図２に示すように、ルーバ１８は、左右両軸端１８Ｃ，１８Ｄにて可動筒部２１の左右の側面部２１Ｃ，２１Ｄに回動可能に支持されている。ルーバ１８の一方の軸端（ここでは、右軸端）１８Ｄは、ルーバ１８を回動させるための風向制御モータ１８０に接続されている。風向制御モータ１８０は、可動筒部２１の一方の側面部（ここでは、右側面部、以下、「可動筒右側面部」という）２１Ｄの外側面に取り付けられている。
【００２６】
図２および図３に示すように、可動筒部２１の他方の側面部（ここでは、左側面部、以下、「可動筒左側面部」という）２１Ｃの外周面には、可動筒部２１を本体ケース１１内の所定の上位置から下方へ移動可能に支持する案内部としての爪部２２が設けられている。
【００２７】
本体ケース１１の左側壁１１Ｃの内側には、浴室暖房機１の動作を制御する制御基板等の電装部品を収容する略矩形箱状の電装ケース１９が設けられており、可動筒部左側面部２１Ｃは、電装ケース１９の右側面部１９Ｄに対向している。即ち、電装ケース１９の右側面部（以下、「ケース内側壁」という）１９Ｄが、可動筒左側面部２１Ｃの外側対向面部として本体ケース１１の内部側壁の一つを構成している。
【００２８】
ケース内側壁１９Ｄの外側面には、爪部２２を上下摺動可能に係合保持する案内受け部としての爪係合部３２が設けられている。爪係合部３２は、ケース内側壁１９Ｄの外側面から右側方、即ち、可動筒左側面部２１Ｃ側へ向かって突出形成されており、可動筒部２１が所定の上位置にあるとき、可動筒左側面部２１Ｃに形成された台状部２１１の上面が爪係合部３２の下面に当接することで、可動筒部２１の上位置より上方への移動が規制される。
【００２９】
爪係合部３２の略中央部には、上下方向に開放する略長方形状の爪挿入孔３２０が開設されており、可動筒部２１の爪部２２は、爪挿入孔３２０に下方から上下摺動可能に挿通されている。
【００３０】
図３に示すように、爪部２２は、前後に並ぶ二つの細長板状のスライド板片２２１，２２２で構成されている。スライド板片２２１，２２２はそれぞれ、上記台状部２１１の上面から上方へ向かって延出形成されている。
【００３１】
スライド板片２２１，２２２の右側面部（以下、「爪右側面部」という）２２Ｄはそれぞれ、爪挿入孔３２０の内周右側面部（以下、「挿入孔右側面部」という）３２Ｃに近接対向しており、爪右側面部２２Ｄが挿入孔右側面部３２Ｃに面接触することで、可動筒部２１の右方への移動が規制される。
【００３２】
可動筒部２１が所定の上位置にあるとき、前側のスライド板片２２１の前面部（以下、「爪前面部」という）２２Ａは、爪挿入孔３２０の内周前面部３２Ａに面接触し、後側のスライド板片２２２の後面部（以下、「爪後面部」という）２２Ｂは、爪挿入孔３２０の内周後面部３２Ｂに面接触している。
【００３３】
スライド板片２２１，２２２は何れも前後方向へ所定の範囲内で揺動可能な弾性を有しており、爪前面部２２Ａおよび爪後面部２２Ｂがそれぞれ、爪挿入孔３２０の対向する内周面部、即ち、内周前面部３２Ａ又は内周後面部３２Ｂに対して弾性的に接触係合することで、可動筒部２１の前後方向への移動が規制される。
【００３４】
爪前面部２２Ａおよび爪後面部２２Ｂの基端寄りの位置にはそれぞれ、前後相反する外向きに突出形成され、爪挿入孔３２０の周縁上部３２１に対して前後方向の相反する外向きに上方から係合することで、可動筒部２１を所定の上位置で掛止させる仮止め部としての仮止め用突起３３が設けられている。
【００３５】
爪前面部２２Ａおよび爪後面部２２Ｂの上端位置にはそれぞれ、前後相反する外向きに突出形成され、可動筒部２１が上位置（仮止め位置）から下位置へ移動した際に、爪挿入孔３２０の周縁上部３２１に対して前後方向の相反する外向きに上方から係合することで、可動筒部２１の脱落を防止する抜け止め用突起３４が設けられている。
【００３６】
仮止め用突起３３は、外側下面（外側面下半域）が外向き上方に傾斜し、外側下面（外側面上半域）が外向き下方に傾斜する側方視略Ｖ字状に形成されている。従って、可動筒部２１が上位置から引き下げられると、爪挿入孔３２０の周縁上部３２１から仮止め用突起３３の外側下面に対して内向き（前後方向）に押圧力が加わり、スライド板片２２１，２２２を内側へ弾性をもって傾倒させつつ、仮止め用突起３３がスライド板片２２１，２２２の弾性力に抗して爪挿入孔３２０の内側に入り込む。これにより、仮止め用突起３３と周縁上部３２１との掛止状態が解除される。そしてさらに可動筒部２１が引き下げられ、仮止め用突起３３に対する押圧力が消失すると、可動筒部２１は自在に上下移動可能な状態となる。
【００３７】
但し、スライド板片２２１，２２２の上端には、抜け止め用突起３４が爪前面部２２Ａおよび爪後面部２２Ｂからそれぞれ外向き（前後方向）に突出形成されているため、可動筒部２１の下方への移動は、抜け止め用突起３４が爪挿入孔３２０の周縁上部３２１に係合する下位置までに制限される。
【００３８】
一方、可動筒部２１が下位置から押し上げられ、爪挿入孔３２０の周縁下部３２２が仮止め用突起３３の外側上面に当接すると、爪挿入孔３２０の周縁下部３２２から上記外側上面に対して内向き（前後方向）に押圧力が加わり、スライド板片２２１，２２２を内側へ弾性をもって傾倒させつつ、仮止め用突起３３がスライド板片２２１，２２２の弾性力に抗して爪挿入孔３２０の内側に入り込む。そしてさらに可動筒部２１が押し上げられると、仮止め用突起３３が爪挿入孔３２０の周縁上部３２１に係合されると共に、爪前面部２２Ａおよび爪後面部２２Ｂがそれぞれ、爪挿入孔３２０の対向する内周面部（内周前面部３２Ａ又は内周後面部３２Ｂ）に接触係合し、可動筒部２１は上位置にて係合保持された状態となる。
【００３９】
尚、本実施の形態に係る浴室暖房機１では、設置前の工場出荷状態において、可動筒部２１を本体ケース１１内の所定の上位置、即ち、仮止め位置で係合保持させている。従って、設置する際には、上記のように本体ケース１１を天井裏４０に吊り下げ固定した後、本体ケース１１に浴室４側からカバー１２を取り付け、可動筒部２１の周縁部に設けられたねじ孔にカバー１２の下面側からねじ締めしていく。これにより、可動筒部２１が引き下げられて爪係合部３２に対する仮止め用突起３３の掛止状態が解除され、さらにねじ締めすることで下端開口部１３０と吹出口１２２の周縁部とが連結される。また、設置後、メンテナンスを行うにあたって、本体ケース１１からカバー１２が外された場合は、可動筒部２１を元の仮止め位置まで押し上げて、仮止め用突起３３が爪係合部３２に掛止された状態に戻しておく。このように、可動筒部２１を仮止め位置で係合保持させておくことで、可動筒部２１がケース開口部１１０より下方へ突出しないから、設置時やメンテナンス後、カバー１２を本体ケース１１に取り付ける際に、可動筒部２１が作業の邪魔にならないし、カバー１２と可動筒部２１との接触による傷や破損を防止することもできる。
【００４０】
図２および図４に示すように、本体ケース１０内には、可動筒部２１の一方の側面部（ここでは、可動筒右側面部）２１Ｄに外側から当接することで、可動筒部２１の上下方向への移動を許容し且つ左右方向（ここでは、右方向）への移動を規制するガイド板２４が設けられている。
【００４１】
ガイド板２４は、本体筒部２０の一方の側面部（ここでは、右側面部、以下、「本体筒右側面部」という）２０Ｄから下方へ向かって、本体筒右側面部２０Ｄと略平行に延出形成されており、本体筒右側面部２０Ｄとガイド板２４との間には、所定の間隙Ｓが形成されている。可動筒右側面部２１Ｄは、上記間隙Ｓに下方から挿通される。即ち、可動筒部２１は、可動筒右側面部２１Ｄが本体筒右側面部２０Ｄおよびガイド板２４によって左右から挟持されることで、上下方向への移動が許容され且つ左右方向への移動が規制される。
【００４２】
上記浴室暖房機１によれば、可動筒左側面部２１Ｃに設けられた爪部２２とケース内側壁１９Ｄに設けられた爪係合部３２とが、可動筒左側面部２１Ｃとケース内側壁１９Ｄとの対向方向に対して直交する前後方向に弾性係合し、可動筒部２１の前後方向への移動が規制されるから、可動筒部２１の下端開口部１３０をカバー１２の吹出口１２２の周縁部に連結する際に、可動筒部２１を上位置から円滑に引き下げることができる。これにより、可動筒部２１の下端開口部１３０を吹出口１２２の周縁部に連結する手間を軽減でき、設置作業性が向上する。
【００４３】
しかも、このものでは、爪部２２に設けられた仮止め用突起３３が爪係合部３２に対して前後方向の相反する方向から係合することで、可動筒部２１を上位置で掛止させるから、可動筒部２１の前後方向へのがたつきにかかわらず、常に一定の位置関係で仮止め用突起３３を爪係合部３２に係合させることができる。即ち、仮止め用突起３３と爪係合部３２との位置関係にずれが生じ難く、一定の係合強度を確保することができる。これにより、可動筒部２１を仮止め位置から引き下げる際に、仮止め用突起３３の爪係合部３２からの外れやすさにばらつきがなく、常に一定の力で引き下げることができる。よって、設置作業性が一層向上する。
【００４４】
また、このものでは、爪部２２および爪係合部３２によって可動筒部２１の前後方向への移動が規制される一方、本体ケース１１内に設けられたガイド板２４によって、可動筒部２１の左右方向への移動が規制されるから、可動筒部２１をより円滑に上下移動させることができる。これにより、可動筒部２１の下端開口部１３０を吹出口１２２の周縁部に連結する手間を一層軽減でき、設置作業性が一層向上する。
【００４５】
特に、上記浴室暖房機１では、可動筒右側面部２１Ｄにルーバ１８の風向制御モータ１８０が設けられており、可動筒部２１の重心は、左右間の中央より右側、即ち、可動筒右側面部２１Ｄ側に偏っている。そのため、可動筒部２１は、上位置から引き下げる際に、爪部２２と爪係合部３２との係合部を軸として右側下方に傾く傾向にある。しかしながら、このものでは、可動筒右側面部２１Ｄの外側にガイド板２４が設けられているから、可動筒部２１が上記のように右側下方に大きく傾くのも規制される。これにより、可動筒部２１をより円滑に上下移動させることができ、設置作業性が一層良好である。
【００４６】
さらに、このものでは、爪右側面部２２Ｄが挿入孔右側面部３２Ｃに面接触することで、可動筒部２１の左右方向への移動がより確実に規制されるから、可動筒部２１をより円滑に上下移動させることができる。これにより、可動筒部２１の下端開口部１３０を吹出口１２２の周縁部に連結する手間を一層軽減でき、設置作業性が一層向上する。
【００４７】
上記実施の形態では、爪部２２が前後に並ぶ二つのスライド板片２２１，２２２で構成されたものを説明したが、図５に示す形態Ａおよび図６に示す形態Ｂのように、爪部２２が一つの略板状に形成されたものとしてもよい。
【００４８】
詳述すると、図５に示す形態Ａでは、爪部２２の前後方向の中央部に弾性を有する薄肉部２２０が形成されており、薄肉部２２０の前後方向への弾性力によって、爪前面部２２Ａおよび爪後面部２２Ｂがそれぞれ、爪挿入孔３２０の対向する内周面部（内周前面部３２Ａ又は内周後面部３２Ｂ）に弾性をもって接触係合する。また、可動筒部２１が上位置から引き下げられ、仮止め用突起３３と爪係合部３２との当接部に前後方向から押圧力が加わった場合は、薄肉部２２０が弾性変形して、爪係合部３２に対する仮止め用突起３３の掛止状態が解除される。これにより、上記実施形態と同様の作用効果を奏する。また、爪部２２を上記のような構成としたことで、前後方向からの押圧力に対する爪部２２の十分な変形強度を確保できるから、可動筒部２１が繰り返し上下移動されても、爪部２２と爪係合部３２との係合力が低下し難い。
【００４９】
一方、図６に示す形態Ｂでは、爪係合部３２が前後に向かい合う二つの上方視略Ｌ字状の係合片３５で構成されており、係合片３５の前後方向への弾性力によって、爪前面部２２Ａおよび爪後面部２２Ｂに、係合片３５の内側面部（内周前面部３２Ａ又は内周後面部３２Ｂ）が弾性をもって接触係合する。また、可動筒部２１が上位置から引き下げられ、仮止め用突起３３と係合片３５の内側面部との当接部に前後方向から押圧力が加わった場合は、係合片３５が互いに離反するよう前後外向きに弾性変形して、係合片３５に対する仮止め用突起３３の掛止状態が解除される。これにより、上記実施形態と同様の作用効果を奏する。
【００５０】
上記形態Ｂでは、爪前面部２２Ａおよび爪後面部２２Ｂに形成された仮止め用突起３３がそれぞれ、係合片３５に対して前後方向の相反する外向きに上方から係合することで、可動筒部２１が所定の上位置で仮止め支持されるものを説明したが、図７に示す形態Ｃのように、爪前面部２２Ａおよび爪後面部２２Ｂにそれぞれ、前後相対する内向きに仮止め用の凹部３６が形成され、上記凹部３６に対して係合片３５の対向する内周面部（内周前面部３２Ａおよび内周後面部３２Ｂ）に形成された凸部３７が前後方向の相対する内向きに係合することで、可動筒部２１が所定の上位置で仮止め支持されるように構成されたものとしてもよい。
【００５１】
上記形態Ｂでは、爪係合部３２が二つの係合片３５で構成され、可動筒部２１が上位置から引き下げられた際に、係合片３５が外向きに弾性変形することで、係合片３５に対する仮止め用突起３３の掛止状態が解除されるように構成されたものを説明したが、仮止め用突起３３の根元側（爪部２２の前後方向の中央側）に長孔や切欠によって遊間を設け、仮止め用突起３３が内向きに弾性変形することで、爪係合部３２に対する仮止め用突起３３の掛止状態が解除されるように構成されたものとしてもよい。
【００５２】
上記各実施の形態では、可動筒部２１の左右の側面部２１Ｃ，２１Ｄに爪部２２およびガイド板２４が対向して設けられたものを説明したが、可動筒部２１の前後の側面部に爪部２２およびガイド板２４が対向して設けられたものとしてもよい（例えば、可動筒部２１の前面部に爪部２２が設けられる一方、本体ケース１１の前壁１１Ａの内側面に爪係合部３２が設けられ、本体筒部２０の下流端部２０１と熱交換器１５との間隙にガイド板２４が設けられる。或いは、可動筒部２１の後面部に爪部２２が設けられる一方、本体筒部２０の下流端部２０１と熱交換器１５との間隙の内部側壁に爪係合部３２が設けられ、本体ケース１１の前壁１１Ａの内側にガイド板２４が設けられる）。この場合、爪部２２と爪部２２の前方又は後方の対向位置（内部側壁）に設けられた爪係合部３２とが左右方向に弾性係合することで、可動筒部２１の左右方向への移動が規制される。また、爪部２２の左右の側面部２１Ｃ，２１Ｄに仮止め用突起３３が設けられ、それら仮止め用突起３３が爪係合部３２に対して左右方向の相反する外向きに係合することで、可動筒部２１が上位置で掛止される。さらに、ガイド板２４が可動筒部２１における爪部２２の配設面部と反対側に面する側面部に当接することで、可動筒部２１の前後方向への移動が規制される。これにより、上記実施形態と同様の作用効果を奏する。
【符号の説明】
【００５３】
１      浴室暖房機
１１    本体ケース
１１０  ケース開口部
１３    送風路
１４    循環ファン（給気手段）
１９Ｄ  ケース内側壁（本体ケースの内部側壁）
２０    本体筒部
２０１  本体筒部の下流端部（ケース開口部側の端部）
２１    可動筒部
２１Ｃ  可動筒左側面部（可動筒部の一側面部）
２２    爪部（案内部）
３２    爪係合部（案内受け部）
【図１】
2019032144.tif 000003
【図２】
2019032144.tif 000004
【図３】
2019032144.tif 000005
【図４】
2019032144.tif 000006
【図５】
2019032144.tif 000007
【図６】
2019032144.tif 000008
【図７】
2019032144.tif 000009